【手続補正書】
【提出日】平成17年6月24日(2005.6.24)
【手続補正１】
【補正対象書類名】明細書
【補正対象項目名】特許請求の範囲
【補正方法】変更
【補正の内容】
【特許請求の範囲】
【請求項１】
コンピュータ・ネットワーク管理システムを生成する、コンピュータ実装方法であって、
ａ）少なくとも１つの管理ビーンを含むネットワーク管理モデルを、ビーンに基づく環境を用いて定義するステップであって、前記少なくとも１つの管理ビーンは、エージェントによって制御されモニタされるリソースに対応し、当該少なくとも１つの管理ビーンの組成の外部的な分析を可能にするイントロスペクションに対するサポートを与え、ビルダ・ツールのグラフィカル・ユーザ・インターフェースを通じて視覚的に操作され、かつ、当該少なくとも１つの管理ビーンのイントロスペクションを通じて操作されるように構成されている、ステップと、
ｂ）前記モデルをコンパイルし、仮想マシンを含む前記ビーンに基づく環境において前記コンピュータ・ネットワーク管理システムを実装するステップと、
を含むことを特徴とする方法。
【請求項２】
請求項１記載の方法において、ステップ（ａ）は、被管理リソースのプロパティをモデル化する少なくとも１つのプロパティを与える少なくとも１つの前記管理ビーンを定義するステップを含むことを特徴とする方法。
【請求項３】
請求項２記載の方法において、ステップ（ａ）は、前記被管理リソースのためにアクションをモデル化するメソッドを含む少なくとも１つの前記管理ビーンを定義するステップを含むことを特徴とする方法。
【請求項４】
請求項２記載の方法において、ステップ（ａ）は、前記リソースのイベントをモデル化する少なくとも１つのイベントに対するサポートを与える少なくとも１つの前記管理ビーンを定義するステップを含むことを特徴とする方法。
【請求項５】
請求項１記載の方法において、ステップ（ａ）は、管理ビーン間の関係と相互作用とを前記被管理リソース間の関係と相互作用とを表すものとして定義するステップを含むことを特徴とする方法。
【請求項６】
請求項５記載の方法であって、少なくとも１つの管理ビーンに関して、少なくとも１つのリスナ・イベントを定義するステップを含むことを特徴とする方法。
【請求項７】
請求項１記載の方法において、ステップ（ｂ）は、
ｉ）少なくとも１つの前記管理ビーンを、拡張可能なエージェント・フレームワークに登録するステップと、
ｉｉ）ネットワーク通信プロトコルのための少なくとも１つのネットワーク・アダプタを、前記拡張可能なエージェント・フレームワークに登録するステップと、
ｉｉｉ）前記ネットワークを介しての前記少なくとも１つの管理ビーンへの外部アクセスを、前記少なくとも１つのネットワーク・アダプタを介して可能にするステップと、
を含むことを特徴とする方法。
【請求項８】
請求項７載の方法において、前記拡張可能なエージェント・フレームワークは、関連するレポジトリ・ビーンを備えており、ステップ（ｂ）の（ｉｉ）は、前記少なくとも１つの管理ビーンおよび／または前記少なくとも１つのネットワーク・アダプタを、前記レポジトリ・ビーンに登録するステップを含むことを特徴とする方法。
【請求項９】
請求項８載の方法において、前記少なくとも１つのネットワーク・アダプタは、ネットワーク・アダプタ・ビーンを備えていることを特徴とする方法。
【請求項１０】
コンピュータ・ネットワーク管理システムであって、
少なくとも１つの管理ビーンを含むオブジェクト・ベースのネットワーク管理モデル化環境であって、前記少なくとも１つの管理ビーンは、エージェントによって制御されモニタされるリソースに対応し、当該少なくとも１つの管理ビーンの組成の外部的分析を可能にするイントロスペクションに対するサポートを与える、ネットワーク管理モデル化環境と、
グラフィカル・ユーザ・インターフェースを通じて前記少なくとも１つの管理ビーンを視覚的に操作するビルダ・ツールであって、前記少なくとも１つの管理ビーンを視覚的に操作する際には、前記少なくとも１つの管理ビーンのイントロスペクションを通じて前記少なくとも１つの管理ビーンの組成の外部的分析を実行するように構成されているビルダ・ツールと、
前記オブジェクト・ベースの環境において前記コンピュータ・ネットワーク管理システムのインプリメンテーションを生成する前記オブジェクト・ベースの環境のためのコンパイラと、
を含むことを特徴とするコンピュータ・ネットワーク管理システム。
【請求項１１】
請求項１０記載のコンピュータ・ネットワーク管理システムにおいて、少なくとも１つの前記管理ビーンは、被管理リソースのプロパティをモデル化する少なくとも１つのプロパティを与えることを特徴とするコンピュータ・ネットワーク管理システム。
【請求項１２】
請求項１０記載のコンピュータ・ネットワーク管理システムにおいて、少なくとも１つの前記管理ビーンは、前記被管理リソースのためにアクションをモデル化するメソッドを含むことを特徴とするコンピュータ・ネットワーク管理システム。
【請求項１３】
請求項１０記載のコンピュータ・ネットワーク管理システムにおいて、少なくとも１つの前記管理ビーンには、前記リソースのイベントをモデル化するための少なくとも１つのイベントに対するサポートが提供されていることを特徴とするコンピュータ・ネットワーク管理システム。
【請求項１４】
請求項１０記載のコンピュータ・ネットワーク管理システムにおいて、前記管理ビーン間の関係および相互作用を定義する複数の管理ビーンは、前記被管理リソース間の関係と相互作用とを表すことを特徴とするコンピュータ・ネットワーク管理システム。
【請求項１５】
請求項１４記載のコンピュータ・ネットワーク管理システムにおいて、少なくとも１つの管理ビーンには、リスナ・イベントに対するサポートが提供されていることを特徴とするコンピュータ・ネットワーク管理システム。
【請求項１６】
請求項１０記載のコンピュータ・ネットワーク管理システムにおいて、前記コンパイルされたシステムは、
拡張可能なフレームワーク・サービス・オブジェクトと、
前記フレームワーク・サービスに登録可能な少なくとも１つの管理ビーンと、
前記フレームワーク・サービスに登録可能であり、前記管理ビーンへのアクセスを可能にするネットワーク通信プロトコルのための少なくとも１つのネットワーク・アダプタ・ビーンと、
を含むネットワーク・エージェントを備えていることを特徴とするコンピュータ・ネットワーク管理システム。
【請求項１７】
請求項１６記載のコンピュータ・ネットワーク管理システムにおいて、前記ネットワーク・エージェントは、関連するレポジトリ・ビーンを備えており、前記少なくとも１つの管理ビーンおよび／または前記少なくとも１つのネットワーク・アダプタ・ビーンは、前記レポジトリ・ビーンに登録可能であることを特徴とするコンピュータ・ネットワーク管理システム。
【請求項１８】
コンピュータ・ネットワーク管理システムを生成する、コンピュータ実装方法であって、
少なくとも１つの管理ビーンを含むネットワーク管理モデルを、ビーンに基づく環境を用いて定義するステップであって、前記少なくとも１つの管理ビーンは、エージェントによって制御されモニタされるリソースに対応し、当該少なくとも１つの管理ビーンの組成の外部的な分析を可能にするイントロスペクションに対するサポートを与え、前記少なくとも１つの管理ビーンの前記組成は１つ又は複数のプロパティと１つ又は複数のメソッドと１つ又は複数のイベントとを含み、前記少なくとも１つの管理ビーンは、ビルダ・ツールのグラフィカル・ユーザ・インターフェースを通じて視覚的に操作され、かつ、当該少なくとも１つの管理ビーンのイントロスペクションを通じて操作されるように構成されている、ステップと、
前記モデルをコンパイルし、仮想マシンを含む前記ビーンに基づく環境において前記コンピュータ・ネットワーク管理システムを実装するステップと、
前記少なくとも１つの管理ビーンを、少なくとも１つのレポジトリ・ビーンを備えた拡張可能なエージェント・フレームワークに登録するステップと、
ネットワーク通信プロトコルのための少なくとも１つのネットワーク・アダプタを、前記拡張可能なエージェント・フレームワークに登録するステップと、
ネットワークを介しての前記少なくとも１つの管理ビーンへの外部アクセスを、前記少なくとも１つのネットワーク・アダプタを介して可能にするステップと、
を含むことを特徴とする方法。